(57)【要約】【課題】従来のドアストッパーは、着脱時に毎回しゃがんで手で着脱を行わねばならなかった。ドアストッパー１を床面４の所望の位置に置いたままで、ドア２を押付けたり、強く引いたりするだけで、ドア２を固定したり解除したりできるドアストッパー１を提供することである。  【解決手段】斜面１２と底面１１とを有する、柔軟体からなる本体１０の該斜面１２と該底面１１とにそれぞれ防滑手段１２１、１１１を設けたドアストッパーとする。防滑手段として、斜面１２と底面１１両用にはシート状防滑材、斜面１２用には等間隔に配置したドア下面保持片１２３を適用する。底面１１に設けた防滑手段の防滑力の方が斜面１２に設けたそれよりも大の方がより確かなものが得られる。斜面１２と底面１１とを有する、柔軟体からなる本体１を防滑性柔軟体単体で構成してもよい。【選択図】図1
2008267094.tif 000002
【特許請求の範囲】
【請求項１】
斜面（１２）と底面（１１）とを有する、柔軟体からなる本体（１０）の該斜面（１２）と該底面（１１）とにそれぞれ防滑手段（１２１）、（１１１）を設けた、ドアだけで固定・解除できるドアストッパー。
【請求項２】
底面（１１）に設けた防滑手段（１１１）の防滑力が斜面（１２）に設けた防滑手段（１２１）の防滑力よりも大である、請求項1記載のドアだけで固定・解除できるドアストッパー。
【請求項３】
斜面（１２）に設けた防滑手段が一定間隔で配置した、弾性体よりなるドア下面保持片（１２３）である、請求項１又は２記載のドアだけで固定・解除できるドアストッパー。
【請求項４】
斜面（１２）よりも底面（１１）の方が面積大である、斜面（１２）と底面（１１）とを有する、柔軟体からなる本体（１０）を防滑性柔軟体単体で構成した、ドアだけで固定・解除できるドアストッパー。
【発明の詳細な説明】
【技術分野】
【０００１】
本発明は、ドアストッパーに関する。詳しくは、ドアストッパーを床面に置いたままで、ドアだけで固定・解除できるドアストッパーに関する。
【背景技術】
【０００２】
従来、硬い楔形のドアストッパーが一般に用いられている。ゴム製のものが多いが、硬いゴムで基本的には変形しないものである。仮に変形したとしても変形量は、極僅かである。用い方は、ドアの下面と床面との隙間に楔形の尖った方を挿入し、ドアが楔形の山(背の高い方)の方に行くのを防ぐものである。楔形の形状を物理的に利用して、狭い隙間に楔形が一定以上食い込めない性質を利用したものである。
【０００３】
ドアストッパーが必要なくなり、これを外すときには、その都度しゃがんで、手で取り除かねばならなかった。
【０００４】
ドア下面と床面との隙間に食い込んで、ドア下面・床面とドアストッパーとの摩擦抵抗により、ドアが楔形の尖った方に動くのを防いで、ドアを任意の開き角度で固定するドアストッパーはなかった。又、変形を前提にしたもの、摩擦抵抗によるものはなかった。
【０００５】
ドアストッパーをドア下面に挿入するときも、床面に置いてドアを押付けるだけでよいものはなかった。断面が台形状の略円錐台形又は略多角錐台形のものには、それに近いものはあったが、足の爪先で押えねばならないし、楔形のものにはなかった。又、固定したドアを解除するときに、ドアを閉める方向に強く引けば、ドアが外れるドアストッパーもなかった。前記略円錐台形又は略多角錐台形のものも、外すときは、爪先で押えねばならない。置く位置も、この略円錐台形又は略多角錐台形のものは、楔形のものと同じ側に置くものである。
【０００６】
特許文献１のものは、楔形に似た、高低をつけた支持台の上に板バネを取付けたドア押え器具で、ドア下面と床面との隙間に食い込ませて、使用するものである。ドアを保持する機構は、ドア下面と板バネとの摩擦抵抗によるものではなく、楔形と同様にドア下面が板バネの高い方向に進めない性質を利用したものである。板バネの表面には、防滑処理は施されていない。
【０００７】
特許文献２のものは、楔形の斜面を硬質ゴムで、底面を軟質ゴムで構成したドア固定具である。ドア下面に接する斜面を表面平滑で強度大の硬質ゴムで、床面に接する底面を摩擦抵抗大の軟質ゴムで一体形成したものである。使い方は、ドア下面と床面との隙間に食い込ませて、ドアが楔形の高い方向へ進めない性質を利用して、ドアを任意の開き角度で固定する。底面の軟質ゴムは、摩擦抵抗が大で、床面に対して動かない。斜面の硬質ゴムは、ドア下面との衝撃に対しても安全に吸収し、双方に傷をつけたりしない。斜面の硬質ゴムには、摩擦抵抗大の働きはないし、変形もしない。
【０００８】
特許文献３のものは、材質をゴム又はゴムに似た材質のプラスチックにした楔形のドア止め具である。使い方は、特許文献２のものと同じである。材質をゴム又はゴムに似た材質のプラスチックで作ると、ドア止め具は、床に密着して滑らず、所望の場所で止まる。本文では、ゴムの特徴として、床に密着し、滑らないことが書かれ、変形に関しては記載されていない。図面ではドア下端の角に押されて、斜面のゴムがコブのように丸く膨れている。ドア下面には、ゴムは面接触していない。ドア下端の角が線接触しているだけである。軟らかいゴムが変形して、ドア下面との接触面積が増加することやゴムとドア下面との摩擦抵抗に関しての認識はないと考えられる。
【０００９】
特許文献４のものは、柔軟性を有する部材で楔状の本体を形成し、平行に相対する三角形の平面部に複数の貫通孔を設けた楔形ドアストッパーである。貫通孔は、楔形の三角形の鋭角部分から対辺に向うにつれて順次大きくなるように設ける。使い方は、特許文献２のもの同じである。貫通孔があるので、貫通孔の近くでは、柔軟性を増大させ、且つ材料特性の復元力により、ドアを任意の位置に維持させるようにしたものである。ドアを維持する機構は、ドア下面と斜面との摩擦抵抗によるものではなく、ドア下面が楔形の高い方向に進めない性質を利用したものである。斜面の表面には、防滑処理は施されていない。  柔軟性の目的は、従来技術の剛性の材質での塑性変形や耐久性に対するものであり、変形して、ドア下面との接触面積増大については、記載されていない。
【００１０】
特許文献５のものは、楔形をした本体の斜面の摩擦係数が、底面の摩擦係数よりも小さいドアストッパーである。使い方は、特許文献２のものと同じである。底面の摩擦係数が斜面の摩擦係数よりも大きいので、ドアの下端がドアストッパーの斜面に当った場合、ドア下端は斜面上を若干滑り、ドアストッパーは床面に押付けられ、底面は床面に対して動かない。底面の摩擦係数は大きいので、床面に対して滑ることなく、ドアストッパーは、その場所で保持されることになる。ドアを保持する機構は、ドア下面と斜面との摩擦抵抗によるものではなく、ドア下面が楔形の高い方向に進めない性質を利用したものである。
【００１１】
特許文献６のものは、弾性材料でできた中空の球体に、重心を下げるための重りを封入して、転がりにくくしたドアストッパーである。重りは、水等の液体又は金属や石の小片、砂等を用いる。使い方は、ドアを開けておきたい箇所の床面にドアストッパーを置き、ドアの下端が当ると、球体のドアストッパーは変形と回転とをしながら、ドアと床面との間に入り込んで、弾性によりドアを押し返して、ドアを保持する。ドアを閉める方に強く引くと、ドアの下で球体は回転して、ドアの下からすり抜け、解除する。ドアの保持は、弾性体の反撥弾性によるもので、摩擦抵抗によるものではない。
【００１２】
特許文献７のものは、断面形状が台形の略円錐台形又は略多角錐台形で底面はなく、内部は空洞の皿を伏せたような形状のドアストッパーである。薄い板状の上面と周辺傾斜部からなり、周辺傾斜部の下端が床面に接する。材質は、ゴム又は軟質プラスチックである。足の爪先だけでドアストッパーを出し入れでき、着脱時にしゃがむ必要がないものである。使い方は、基本的には特許文献２のものと同じであって、ドアの下面と床面との隙間に、断面形状台形の鋭角部を挿入する。その際、床面の目標の位置にドアストッパーを置き、爪先でドアストッパーを押え、ドアの下端を押付ければよい。ドアストッパーを外すときは、ドアストッパーを爪先で押えておき、ドアを断面形状台形の鋭角部の方向に引けばよい。ドアを保持する機構は、楔形のものと同じで傾斜部に当ったドアの下端が傾斜部の高い方へ進めないことによる。傾斜部には防滑手段はなく、摩擦抵抗によるものではない。
【００１３】
【特許文献１】実開昭５０‐１４５５３０「ドア押え器具」公報
【特許文献２】実開昭５５‐１５６１５８「ドアー固定具」公報
【特許文献３】実開平３‐５７２７７「ドア止め具」公報
【特許文献４】実登３００３０３１「楔型ドアストッパー」公報
【特許文献５】特開平１１‐１７２９８６「ドアストッパ」公報
【特許文献６】特開平１１‐２１０３０５「ドアストッパー」
【特許文献７】特開２００３‐１７６６５８「ドアストッパー」公報
【発明の開示】
【発明が解決しようとする課題】
【００１４】
夏季、エアコンを点けたり消したりする毎に、ドアを閉めたり開けたりする必要がある。ドアを開けていると風でドアが閉まるので、その都度ドアストッパーを付けたり外したりしなければならない。この他にもドアストッパーを嵌めたり外したりしたいことは数多くある。嵌めたり外したりするときには、毎回しゃがんで手で行わねばならないのは、実に面倒である。又、ドアを閉める方向の側にドアストッパーを置くため、ドアを閉めるにはドアストッパーを取り除かねばならない。
【００１５】
ドアストッパーを床面に置いたままでも、即ち、足の爪先で押えなくても、ドアを固定したり解除したりできるドアストッパーがあると便利である。ドアだけでドアを固定したり解除したりするには、従来技術の楔形ドアストッパーとは逆の方向の側にドアストッパーを置かねばならない。即ち、鋭角部の方からドア下面を押付けたり外したりする。
【００１６】
本発明が解決しようとする課題は、これらの問題点を解決し、ドアストッパーを床面に置いたままでも、ドアだけでドアを固定したり解除したりできるドアストッパーを提供することである。  
【課題を解決するための手段】
【００１７】
請求項1に係るドアだけで固定・解除できるドアストッパーは、斜面１２と底面１１とを有する、柔軟体からなる本体１０の該斜面１２と該底面１１とにそれぞれ防滑手段１２１、防滑手段１１１を設けたものである。
【００１８】
斜面１２と底面１１とを有する本体１０とは、本体１０が楔形に限らず、斜面１２と底面１１とがあれば、他の形状でもよいことをいう。
【００１９】
斜面１２は、必ずしも平面でなくてもよく、曲面でもよい。凹面でも凸面でもよいし、凹凸面の反復曲面でもよい。細かい凹凸を繰り返して摩擦抵抗を増大させたものでもよい。細かい凹凸の断面形状も、W字形の角角尖ったものでも、丸みを帯びた緩やかなカーブを持った波形のものでも、コの字形を反転反復した四角張ったもの等でもよい。長手方向に直角だけでなく、平行のものでもよい。平面投影形状も長方形に限らず、他の多角形でも、曲線を含んだ他の形状でもよい。  
【００２０】
底面１１は、床面４に接するので、平面がよい。平滑面に限らず、細かい凹凸や小さな突起等を設けて摩擦抵抗を増大させたものでもよい。形状は長方形に限らず、他の形状でもよい。面積は、斜面１１の面積と異なるものでもよい。本体１０の形状による。
【００２１】
柔軟体は、押されて変形可能であればよく、ソリッド(充実)でも発泡体でもよい。通常は、軽量化、コストの点で発泡体がよい。反撥弾性がいくらかでもあった方がよい。材質は、ゴムでもプラスチックでもよいし、フェルト、スプリング等他のものでもよい。ドア２の下面と床面４との隙間に食い込み易いものがよい。多少食い込んだ結果、接触面積を増やし、柔軟体の反撥弾性でドア下面を押し上げ、ドア下面、床面４との摩擦抵抗を増大させて、ドア２を固定する。
【００２２】
柔軟さの程度も幅広く、かなり硬いものから例えば台所の食器洗い用ウレタンフォームや実際には使えないが、食品のコンニャクのような非常に軟らかいものでもよい。コンニャクのようなソリッドで非常に軟らかいものとしては、例えばゾルタイプの塩化ビニール樹脂に多量の可塑剤を配合したもの、低硬度用の特殊合成ゴム等がある。かなり硬い方としては、ジョギングシューズ底用のスポンジや浴室用マットとして、2種類売られている内の、硬い方のEVA発泡体でもよいし、もっと硬いものでもよい。浴室用マットの軟らかい方のポリエチレン発泡体も使える。ソリッドでは、低硬度の軟質ゴム、前記ゾルタイプの塩化ビニール樹脂に可塑剤を配合したものの可塑剤量を調整して柔軟度を硬めに調整したもの等がある。本体１０がドアストッパー市販品のように、硬くてほとんど変形しないようなものでも、取付けた防滑材が発泡体で変形するものであれば、ドア２を固定することからも、柔軟体は相当硬いものでも使用できる。
【００２３】
ゴム、塩化ビニール樹脂のような軟質プラスチック等の弾性体で枠構造のようなものを作って、柔軟体としてもよい。材質、厚さ、構造等で柔軟さ、弾性を調整する。
【００２４】
斜面１２と底面１１とがなす角度は、柔軟体の硬度(軟らかさ)や防滑力等とも関連するので、簡単には限定できない。軟らかい素材のときは、角度大でもドア下面と床面との隙間に食い込めるが、硬い素材のときは、角度を小にしないと、入り込めない。柔軟体の反撥弾性にも関連する。反撥弾性が弱いと、ドア下面や床面を押す力が弱く、摩擦抵抗も弱いので、ドアを固定する力が不足する。防滑材の防滑力も関連する。防滑力が強いと、接触面積小でも、固定する。ドアストッパーの長手方向の長さも含めて試行錯誤法により、角度を決めるのがよい。
【００２５】
角度は、重要である。台所食器洗い用のウレタンフォームは、軟らかいので、角度２０度のものを試作したところ、床面４上を滑り、ドア下面と床面４との隙間に食い込まない。軽量も要因の１つかと考え、２ミリ厚の亜鉛引鉄板を底面１１と防滑材との間に貼り付けたが、滑りは止まらなかった。亜鉛引鉄板の幅を2倍にして重量を増してみたが、同様であった。ところが、角度を市販品の１４度(１例)と略同じの１２度にしてみたところ、滑りはなくなり、ドア下面の下に食い込んで、ドア２を固定した。重さは、関係ないことが分った。食器洗い用のウレタンフォームは、反撥弾性は弱いが、ドア２を固定できる。防滑材の性能にもよる。防滑力の小さいものでは滑る。
【００２６】
防滑手段は、ドア下面や床面４との摩擦抵抗を増大させて、滑りにくくするものである。防滑手段としては、摩擦抵抗大の素材でできた防滑材、摩擦抵抗を増す表面の細かい凹凸、突起、小さな吸盤、ドア下面を機械的に保持するドア下面保持片１２３等がある。本発明は摩擦抵抗により，ドア下面とドアストッパー１、ドアストッパー１と床面４とを動かなくして、その結果、ドア下面と床面４とを固定するものである。本体１０の摩擦抵抗が大のときは、防滑材取付けを省略してもよい。
【００２７】
防滑材は、硬度の低い(軟らかい)ゴム、ゴムの発泡体、塩化ビニールや塩化ビニールをブレンドしたプラスチック等の軟質プラスチック、これらプラスチックの発泡体等々がある。摩擦抵抗が大きく、ドア２の下面や床面４に対して滑りにくいものであれば、他のものでもよい。表面状態は、平滑でもよいし、細かい凹凸を溝状又は点状に繰り返したもの(卓球ラケットに貼り付けるような小さな突起付のゴムシートを含む)、孔をあけたもの、メッシュ状のもの、小さい吸盤を並べたもの等でもよい。市販品のメッシュ状塩化ビニール系発泡体やシート状防滑材でもよい。
【００２８】
ゴムやゴムの発泡体は、その組成(配合)により、防滑性が変わる。市販されているシート状ゴム発泡体を種々テストしてみたが、防滑性の差は大きい。ウェットスーツ用の独立気泡のゴム発泡体が、テストした中では、最も防滑性大であった。底面１１と斜面１２とに同じ防滑材を使用するときは、防滑性のよいものを採用した方がよい。斜面１２が滑りにくいため、底面１１が床面４に対して滑り易くなるためである。
【００２９】
又、防滑手段としては、ゴム、軟質プラスチック等の弾性体で薄い板状、又は断面細長い三角状に構成されたドア下面保持片１２３等機械的にドア下面を保持するものでもよい。ドア下面保持片１２３は、根元が弾性体で折れ曲ったり、復元したりするものであれば、先の方は他のものでもよい。
【００３０】
ドアだけで固定・解除できるドアストッパー１とは、ドアストッパー１を着脱する際に、その都度しゃがんで、置いたり外したりしなくてもよく、床面４に置いたドアストッパー１にドア２を押付ければ、ドア２が固定され、固定されたドア２を外す方向即ち固定を解除する方向に強く引けば、ドア２が外れるものである。固定とは、摩擦抵抗によって、風が吹いた位の力ではドア２が動かず、手で強く引けば外れる程度にドア２を保持することを言い、釘打ちのように動かなくするものではない。解除とは、固定状態からドア２を外すことである。固定・解除できるとは、固定と解除との両方ができることを言う。
【００３１】
請求項２に係るドアだけで固定・解除できるドアストッパーは、底面１１に設けた防滑手段１１１の防滑力が斜面１２に設けた防滑手段１２１の防滑力よりも大である、請求項１記載のドアだけで固定・解除できるドアストッパーである。
【００３２】
底面１１に設けた防滑手段１１１の防滑力が斜面１２に設けた防滑手段１２１の防滑力よりも大きいということは、底面１１の方が滑りにくいということである。防滑力は、滑りにくさを表す能力といった意味で、大きい程滑りにくい。ドアストッパー１にドア下面を押付けたときに、底面１１の方が滑りにくいので、ドアストッパー１は動かずに、ドア下面は斜面１２上を若干滑り、本体１０が柔軟体で変形する為、ドア下面は斜面１２の上に多少乗り上げたような形になる。結果としてドアストッパー１は、ドア下面と床面４との隙間に若干食い込んだ形になり、ドア２を固定する。ドア下面がドアストッパー１の斜面１２に乗り上げ易く、ドア下面と斜面１２との接触面積が大きくなり、この両面の密着が強化されることが請求項２の発明の特徴である。
【００３３】
底面１１に設けた防滑手段１１１の防滑力が斜面１２に設けた防滑手段１２１の防滑力よりも大である技術的思想は、特許文献５に記載されている。特許文献５のものは、硬い本体であり、変形はしない。本発明は、本体１０が柔軟体であって、ドア下面を押付けると変形する。底面１１の防滑力が大であることは、底面１１が床面４に対して動かないだけでなく、斜面１２の上にドア下面が乗り上げ易く、接触面積がより大きくなる助けになる。底面の防滑力を斜面の防滑力よりも大きくする目的が、特許文献５の発明ではドアストッパーが床面に対して動かないことであるのに対して、請求項２の発明ではドアストッパー１が床面４に対して動かなくすることだけでなく、ドア下面が斜面１２に乗り上げ易く接触面積を増大させることであり、目的が異なる。
【００３４】
防滑力は、接した面に対しての滑り難さを表す。摩擦抵抗と同意義である。摩擦係数大のものは、摩擦抵抗大になる。防滑力の測定は、難しいが比較は容易である。ドアストッパー１の斜面１２と底面１１とにそれぞれ異なる防滑材を貼付け、ドアストッパーとして使用してみて、底面１１の防滑材が動かず、ドア下面が斜面１２に乗り上げれば、底面１１に貼り付けた方の防滑材の防滑力が大である。逆に底面１１が動けば、斜面１２に貼り付けた防滑材の方が防滑力大である。
【００３５】
請求項３に係るドアだけで固定・解除できるドアストッパーは、斜面１２に設けた防滑手段が一定間隔で配置した、弾性体よりなるドア下面保持片１２３である、請求項１又は２記載のドアだけで固定・解除できるドアストッパーである。
【００３６】
一定間隔とは、ドア２の厚さよりも少し厚い位の定まった間隔をいう。
【００３７】
ドア下面保持片１２３は、請求項１に係るドアだけで固定・解除できるドアストッパーのところ[００２９]で説明したように、等間隔に、弾性体で薄い板状等に形成したものにより、機械的にドア下面を保持するものである。ドア下面保持片１２３は、根元のところだけ弾性体で、折れ曲り、復元できれば、先の方は剛体でもよい。
【００３８】
請求項４に係るドアだけで固定・解除できるドアストッパーは、斜面１２よりも底面１１の方が面積大の本体１を防滑性柔軟体単体で構成した、ドアだけで固定・解除できるドアストッパーである。防滑性柔軟体は、防滑力のある柔軟体である。単体で構成とは、他の材料を用いずに、そのものだけで構成することである。斜面よりも底面の方が面積大であれば、どのような形状でもよい。本体１０を、例えば楔形の斜面部と板状の底面部とを同一材料で別々に用意して、接着で構成したものも単体で構成したものとする。
【発明の効果】
【００３９】
請求項１に係るドアだけで固定・解除できるドアストッパーは、ドア２を開けておきたい任意の位置の床面４の上に、ドアストッパー１を置いておけば、ドア２を押付けるとドア２を固定でき、固定されたドア２を強く引くだけで解除できるという効果がある。
【００４０】
請求項２に係るドアだけで固定・解除できるドアストッパーは、ドア２を開けておきたい任意の位置の床面４上にドアストッパー１を置いておけば、ドア２を押付けるだけで、確実にドア２を固定でき、この固定されてドア２を強く引くだけで、解除できるという効果がある。
【００４１】
請求項3に係るドアだけで固定・解除できるドアストッパーは、ドア２を開けておきたい任意の位置に床面４上に、ドアストッパーを置いておけば、ドア２を押付けるだけで固定でき、固定されたドア２を強く引くだけで解除できるという効果がある。
【００４２】
請求項４に係るドアだけで固定・解除できるドアストッパーは、ドア２を開けておきたい任意の位置に床面４上に、ドアストッパーを置いておけば、ドア２を押付けるだけで固定でき、固定されたドア２を強く引くだけで解除できるという効果の外に、斜面１２と底面１１とがよく分り、安定性がよく、本体１を１つの材料で構成できるという効果がある。
【発明を実施するための最良の形態】
【００４３】
ドアを開けておきたい任意の位置の床面に置き、ドアを押付けたり、強く引くだけでドアを固定したり解除したりできるドアストッパーを得るという目的を斜面と底面とを有する柔軟体でできた本体の斜面と底面とにそれぞれ防滑手段を設けることで実現した。
【実施例１】
【００４４】
実施例１のドアだけで固定・解除できるドアストッパーを図1に基づいて説明する。図1の（Ａ）は実施例１のドアだけで固定・解除できるドアストッパー１(以下単にドアストッパー１と略記)の使用状態を示す斜視図、円内は使用状態を示す拡大図、（Ｂ）は本体１０を示す斜視図、（Ｃ）はドアストッパー１を示す斜視図である。
【００４５】
（Ａ）に示すように、従来技術のドアストッパーとは逆向きに、楔形の山(高い方)を壁面３に向けて床面４の上に置き、ドア２を押付ける。ドア下面は、ドアストッパー１の斜面１２上の防滑材１２１に乗り上げ、摩擦抵抗により固定される。本体１０は柔軟体の為変形し、ドア下面と床面４との隙間に食い込んだ形になる。ドアストッパー１を置く位置は、ドアを開けた状態にしておきたい任意の所でよい。固定されたドア２を解除するときは、ドア２を閉める方向に強く引けばよい。
【００４６】
（Ｂ）に示すのは、実施例１の本体１０で、楔形をしたソリッドの柔軟体である。
【００４７】
（Ｃ）に示す実施例１のドアストッパー１は、（Ｂ）に示した本体１０の斜面１２と底面１１との上にそれぞれ防滑材１２１，１１１を取付けたものである。（Ａ）に示したドアストッパー１と同じものである。
【００４８】
使い方は、ドア２を開けておきたい所望の位置の床面４の上に、ドアストッパー１を楔形の山を壁面３に向けて置き、ドアストッパー１の斜面１２にドア２の下面を押付ける。本体１０は変形して、ドア２の下面と床面４との隙間に食い込んだ状態になり、ドア下面と斜面１２との接触面積も増え、防滑材の摩擦抵抗により、ドア２と床面４とは固定される。解除するときは、ドア２を閉める方向にドア２を強く引くと、ドア２は外れ、ドアストッパー１は残る。再びドア２を固定したいときは、前述の通り、ドア２をドアストッパー１の斜面１２に押付ければよい。ドアストッパー１を床面４上の所望の位置に置くだけで、ドア２を固定したり解除したりできる効果がある。
【実施例２】
【００４９】
実施例２のドアストッパー１を図２に基づいて説明する。図２の（Ａ）は楔形ドアストッパー１の本体１０を発泡体で構成したものの斜視図、（Ｂ）は（Ａ）の斜面の防滑材１２１を滑り止めの細かい凹凸１２２付にしたものの斜視図、（Ｃ）は（Ａ）の本体１０を防滑性の機能を持った発泡体にして斜面の防滑材１２１を除いたものの斜視図、（Ｄ）は（Ｃ）の斜面１２を滑り止めの細かい凹凸１２２付にし、幅を広くしたものの斜視図である。
【００５０】
（Ａ）に示すドアストッパー１は、楔形本体１０を発泡体で構成し、斜面に防滑材１２１を設け、底面に防滑材１１１を設けたものである。使い方は、実施例１のものと同様である。
【００５１】
（Ｂ）に示すドアストッパー１は、（Ａ）に示すドアストッパー１の防滑材１２１を滑り止めの細かい凹凸１２２付にしたものである。凹凸１２２の形状は、波型である。防滑性が向上するので、防滑性の劣る防滑材を使用できる。使い方は、実施例１のものと同様である。
【００５２】
（Ｃ）に示すドアストッパー１は、本体１０を防滑性のある発泡体で構成したもので、斜面１２に設ける防滑材が省略できる。使い方は、実施例１のものと同様である。
【００５３】
（Ｄ）に示すドアストッパー１は、（Ｃ）に示すドアストッパー１の斜面１２を滑り止めの細かい凹凸１２２付にし、幅を広くしたものである。細かい凹凸１２２の断面形状は、ドア下面を押付けたときは滑り易く、逆にドアを外す方向には滑りにくくするため、楔形の高い方に向って斜めに、低い方に向っては垂直に立った鋸歯状にする。防滑性が拡幅と鋸歯状の細かい凹凸とにより更に向上するので、防滑性の劣る柔軟体を使用できる。使い方は、実施例１のものと同様である。
【００５４】
何れも本体１０を発泡体の柔軟体にしているので、一般的に軽量化ができ、例外はあるがコスト低減が図れるという効果がある。滑り止めの細かい凹凸１２２を設けたものは、防滑性が向上する。
【実施例３】
【００５５】
実施例３のドアストッパー１を図３に基づいて説明する。図３の（Ａ）は楔形ドアストッパー１の本体１０を発泡体で構成し、斜面に防滑手段としてドア下面保持片１２３を等間隔で有するゴム板を設け、底面に防滑材１１１を設けたものの使用中の状態を示す側面図、（Ｂ）は空洞部を有する楔形のゴム製本体１０の斜面にドア下面保持片１２３を等間隔に設け、底面に防滑材１１１を設けたものの斜視図、（Ｃ）は（Ａ）の本体１０をソリッドの柔軟体１０にし、底面に防滑手段として、小さな吸盤１１２を多数設けたものの側面図、（Ｄ）は従来技術を示す断面斜視図である。
【００５６】
実施例３のドアストッパー１は、斜面にドア下面保持片１２３をドア２の厚さより少し広い位の等間隔で設けたのが特徴である。ドア下面保持片１２３は、三角柱状で傾斜が付いているので、斜面の下の方から押されると、倒れ易く、乗り上げ易い。逆に上の方から押されると、垂直の為倒れにくく、引っ掛かるようになっている。従って、ドア下面がドアストッパー１に当ると、ドア下面は滑ってドア下面保持片１２３を倒して、ドア下面保持片１２３の間に嵌り、固定される。本体１０が柔軟体なので、ドア下面により押付けられると、斜面は少しくぼんで、水平近くなる。解除するときは、ドア２を強く引くと、ドア下面保持片１２３が下方に倒れて外れる。
【００５７】
（Ａ）は、本体１０が発泡体の柔軟体のものである。（Ｂ）のように本体１０を中空のもの即ち、ゴム板を枠状に形成したものもある。ゴム板の弾性で柔軟性を出している。（Ｃ）は、（Ａ）の本体１０をソリッドの柔軟体にしたものである。
【００５８】
従来技術には（Ｄ）に示すように、断面形状がコの字形をした本体のものがあるが、軽量化、材料節約、成型時間短縮のコスト低減を目的にするもので、縦の壁部があるので、上から押しても変形せず、楔形の形状を保ち、実施例３のものとは目的が異なる。
【００５９】
使い方は、実施例１のものと同様である。
【００６０】
実施例３のドアストッパー１は、防滑手段としてドア下面保持片１２３を有するので、ドア下面保持に確実性が増す効果がある。
【実施例４】
【００６１】
実施例４のドアストッパー１を図４に基づいて説明する。図４の（Ａ）は本体１０を2枚の板とスプリングとで構成したものの斜視図、（Ｂ）は本体１０を防滑性の柔軟体で構成し斜面に細かいW字形の凹凸１２２を長手方向に平行に付けたものの斜視図、（Ｃ）は（Ｂ）のX−Ｘ線断面図、（Ｄ）は（Ｃ）の細かい凹凸１２２をW字形からコの字形を交互に反転繰り返す角角した形に変えたものの断面図、（Ｅ）は（Ｃ）の細かい凹凸１２２をW字形から滑らかな曲線状の波形に変えたものの断面図である。
【００６２】
実施例４に示すドアストッパー１は、本体１０を展開したもので、（Ａ）は2枚の板とスプリング１０１とで構成した本体１０の斜面と底面とにそれぞれ防滑材１２１と１１１とを取付けたものである。（Ｂ）は防滑性のある発泡体の柔軟体で楔形の本体１０を構成し、斜面にW字形の細かい凹凸１２２を長手方向に平行に付けたものである。（Ｃ）は、（Ｂ）のX−X線断面図である。（Ｄ）は、（Ｃ）の細かい凹凸１２２をW字形からコの字形を交互に反転繰り返す角角した形に変えたものである。（Ｅ）は、（Ｃ）の細かい凹凸１２２をW字形から滑らかな曲線を交互に繰り返す波形に変えたものである。
【００６３】
（Ａ）は、スプリング１０１で柔軟体の軟らかさを代用したものである。スプリング１０１の強さで柔軟性を調整する。斜面の板も薄い場合は、その弾性により多少変形する。斜面上に設けた防滑材１２１も多少変形するので、ドア下面はこの上に乗り上げて固定される。（Ｂ）から（Ｅ）のものは、斜面に細かい凹凸１２２を長手方向に設けているので、接触面積が底面よりも小さく、摩擦抵抗も小さくなる。従って、斜面の方が底面よりも摩擦抵抗が小さいので、ドア下面が当ったときに、ドアストッパー１は床面４に対して動かず、ドア下面は斜面に乗り上げ、摩擦抵抗により固定される。摩擦抵抗の調整は、スプリング、柔軟体の材質、凹凸の大小、数、形状により行う。
【００６４】
使い方は、実施例１のものと同様である。
【００６５】
実施例４のドアストッパー１は、（Ａ）のものはスプリング１０１の強さ、板の厚さ、材質の調整により、ドア下面への食い込み易さが調整でき、（Ｂ）から（Ｅ）のものは柔軟体の材質、長手方向の凹凸の大小、数、形状で食い込み易さや摩擦抵抗が調整できるという効果がある。
【実施例５】
【００６６】
実施例５のドアストッパー１を図５に基づいて説明する。図５の（Ａ）は実施例1の（Ｃ）に示す楔形のドアストッパー１の斜面及び防滑材１２１を凹面状の曲面１２１にしたものの斜視図、（Ｂ）は（Ａ）の斜面及び防滑材１２１を凸面状の曲面１２１にしたものの斜視図、（Ｃ）は（Ｂ）の斜面及び防滑材１２１を反復凹凸の曲面１２１にしたものの斜視図、（Ｄ）は実施例１の（Ｃ）に示す楔形ドアストッパー１の底面、斜面及び防滑材１１１、１２１を逆鼓形(中膨れ形)にしたものの斜視図、（Ｅ）は（Ｄ）の平面図、（Ｆ）は（Ｄ）の底面、斜面及び防滑材１１１、１２１を鼓形(中窪み形)にしたものの斜視図、（Ｇ）は（Ｆ）の平面図である。
【００６７】
実施例５に示すドアストッパー１は、形状が楔形に限らず、他の形でもよいことを示すものである。斜面の防滑材１２１の表面には、滑り止めの細かい凹凸を設けてもよい。防滑性が向上する効果がある。（Ｄ）、（Ｆ）のものの側面形状は、楔形と同様三角形である。実施例５のドアストッパー１の本体１０は、ソリッドであるが、発泡体にしたものでもよい。（Ｄ）、（Ｆ）の側面形状を（Ａ）、（Ｂ）、（Ｃ）のような曲線を含む形状にしてもよい。
【００６８】
使い方は、実施例１のものと同様である。（Ａ）のドアストッパー１は、ドア２の下面と床面４との隙間にドアストッパー１が食い込み易い効果がある。（Ｂ）のドアストッパー１は、本体１０の柔軟体が軟らかいとドア下面の下に食い込んだとき、接触面積が広く、保持機能が高いという効果がある。（Ｃ）のドアストッパー１は、凹面部分までドア下面が乗り上がると、接触面積が大きくドア２の保持力が強い効果がある。（Ｄ）、（Ｆ）のドアストッパー１の効果は、楔形のものと大差ない。
【実施例６】
【００６９】
実施例６のドアストッパー１を図６に基づいて説明する。図６の（Ａ）は実施例６のドアストッパー１を示す平面図、（Ｂ）は（Ａ）に示すもののＹ―Ｙ線断面図、（Ｃ）は（Ｂ）に示すものの斜面の防滑材１２１を除いて滑り止めの細かい凹凸１２２を設けたものを示す横断面図、（D）は（C）に示すものの本体１０を防滑性のある発泡体に変え、斜面の滑り止めの細かい凹凸１２２を除き、底面の防滑材１１１を除いたものの横断面図、（Ｅ）は（Ｃ）に示すものの本体１０を空洞付にしたものの横断面図、（Ｆ）は楔形の本体１０の下に平板状の本体１０の底面に防滑材１１１を付けたものの斜視図、（Ｇ）は（Ｆ）の楔形本体１０と防滑材１１１付き平板状本体１０とを嵌合部１０２による組立て式にしたものの背面図である。
【００７０】
実施例６の（Ａ）から（Ｅ）までのドアストッパー１は、横断面形状が台形の底面が広い形状をしたものである。縦断面形状(斜面の長手方向に平行)は、楔形と同じで三角形である。（Ｆ）と（Ｇ）とのドアストッパー１は、平板状の底面を有する。実施例６のものは、底面積が大なので、床面４に対する摩擦抵抗が大となる特徴がある。床面４上に置いたとき、楔形に比べ安定性がよい。上下がはっきり分り、斜面１２、底面１１の区別がつき易い。
【００７１】
（Ａ）及び（Ｂ）に示すドアストッパー１は、実施例１の楔形ドアストッパー１の横断面形状を長方形から台形に変えて、底面積を大にしたもので、本体１０はソリッドである。
【００７２】
（Ｃ）に示すドアストッパー１は、（Ｂ）のドアストッパー１の斜面の防滑材１２１を除き、斜面に滑り止めの細かい凹凸１２２を設けたものである。本体１０は、ソリッドの柔軟体で、摩擦抵抗の大きいものである。底面には防滑材１１１を取付ける。
【００７３】
（Ｄ）に示すドアストッパー１は、（C）のドアストッパー１の本体１０を発泡体の防滑性柔軟体に変え、底面１１の防滑材１１１を除いたものである。本体１０は、摩擦抵抗大の柔軟体を使用し、底面１１の面積が大きいので、床面４に対する摩擦抵抗が斜面１２よりも大となり、ドア２を固定できる。即ち、防滑性柔軟体単体で、ドアストッパー1を作ることができる。
【００７４】
（E）に示すドアストッパー１は、（Ｃ）のドアストッパー１の本体１０を空洞付にしたもので、壁(板)状の本体１０の弾性により変形可能となり、ドア２の下面と床面４との隙間に食込むものである。
【００７５】
（Ｆ）に示すドアストッパー１は、楔形の本体１０の下に平板状の本体１０を付けたもので、底面の下に防滑材１１１を設ける。
【００７６】
（Ｇ）に示すものは、（Ｆ）の楔状本体１０と平板状本体１０とを嵌合部１０２により組立て式にしたもので、底面の下に防滑材１１１を取付ける。組立て式のため、在庫、運搬、保管中にかさばらない。  
【００７７】
使い方は、いずれも実施例１のものと同様である。底面積が大なので、床面４との摩擦抵抗も大きく滑りにくく、床面４上に置いたときに安定性がよいという効果がある。上下の区別が明確に分り、斜面と底面との区別が容易につく。斜面１２よりも底面１１の方が面積大で、摩擦抵抗が大きいので、防滑性柔軟体単体でドアだけで固定・解除できるドアストッパーが作れるという効果がある。                                        
【実施例７】
【００７８】
実施例７のドアストッパー１を図７に基づいて説明する。図７の（Ａ）は実施例７のドアストッパー１を示す斜視図、（Ｂ）は（Ａ）のものにバネ材１２のバネ受調節部１１３を設けたものの斜視図、（Ｃ）は（Ａ）のもののバネ材１２を凹面状にしたものの斜視図である。
【００７９】
実施例７のドアストッパー１は本体１０の柔軟部として、薄い板バネ材１２を用いたものである。バネ材１２の表面に防滑材１２１を貼り付ける。本体１０は、先端部の厚さの関係もあって、金属板をL字形に折り曲げて構成する。本体１０は、中空状になる。１枚のバネ材１２を折り曲げて、本体１０を構成してもよい。  
【００８０】
（Ａ）は、薄い板バネ材を凸状の湾曲状に設けて斜面１２とし、その表面に防滑材１２１を貼り付け、底面に防滑材１１１を貼り付けたものである。
【００８１】
（Ｂ）は、本体１０の底面の先端部に複数個の溝状バネ受調節部１１３を設けたものである。バネ材１２の先端をバネ調節部１１３のいずれかの溝に嵌めて固定する。バネ材１２の先端を嵌める溝状バネ受調節部の溝を選ぶことにより、斜面１２の高さやバネの強さを調節する。
【００８２】
（Ｃ）は、（Ａ）のバネ材１２の湾曲状態を逆にして、凹状(下向きに凸状)にしたものである。その他は（Ａ）と同じである。
【００８３】
使い方は、何れも実施例１のものと同様である。
【００８４】
（Ａ）のドアストッパー１は、バネ材１２の弾性強度を調整することにより、ドア下面と床面４との隙間への入り易さやドア下面の保持力を調整できる。（Ｂ）のものは、バネ受調節部１１３があるため、バネ材１２の高さや弾性の強さを調節できる。（Ｃ）のものは、先端部が薄い為、ドア２の下面と床面４との隙間に入り易い効果がある。
【産業上の利用可能性】
【００８５】
ドアストッパー１は、ドア２を任意の位置で固定したい場合に適用できる。
【図面の簡単な説明】
【００８６】
【図１】実施例１のドアストッパー及び使用状態を示す斜視図である。
【図２】実施例２のドアストッパーを示す斜視図である。
【図３】実施例３のドアストッパーを示す側面図、斜視図及び断面斜視図である。
【図４】実施例４のドアストッパーを示す斜視図及び断面図である。
【図５】実施例５のドアストッパーを示す斜視図及び平面図である。
【図６】実施例６のドアストッパーを示す平面図、断面図、斜視図及び背面図である。
【図７】実施例７のドアストッパーを示す斜視図である。
【符号の説明】
【００８７】
１        ドアストッパー
１０      本体
１０１    スプリング
１０２    嵌合部
１１      底面
１１１    防滑材
１１２    吸盤
１１３    バネ受調節部
１２      斜面、バネ材
１２１    防滑材
１２２    細かい凹凸
１２３    ドア下面保持片
２        ドア
３        壁面
４        床面
【図１】
2008267094.tif 000003
【図２】
2008267094.tif 000004
【図３】
2008267094.tif 000005
【図４】
2008267094.tif 000006
【図５】
2008267094.tif 000007
【図６】
2008267094.tif 000008
【図７】
2008267094.tif 000009